【事件の表示】
　特許第３１２５９２１号「ゴルフのアイアンクラブセット」の請求項１に係る特許に対する特許異議の申立てについて、次のとおり決定する。
【結　論】
　訂正を認める。
　特許第３１２５９２１号の請求項１に係る特許を取り消す。
【理　由】
　本件特許第３１２５９２１号の請求項１に係る発明についての出願は、平成９年１１月２６日の出願であって、平成１２年１１月２日にその特許権が設定登録なされ、その後、伊藤晋より特許異議の申立がなされ、取消の理由が通知され、その指定期間内である平成１３年１２月１４日に訂正請求がなされ、異議申立人に審尋がなされ、異議申立人より回答書が提出され、再度の取消の通知がされたが、特許権者からは何らの応答もないものである。
　
２．訂正の適否についての判断
（１）訂正の内容
ア．訂正事項ａ
　特許請求の範囲第１項の記載について
「それぞれ前面にフェースを有するヘッドと、このヘッドの左右方向一側に接続されたシャフトとを備えるとともに、前記ヘッドは、フェースを有するヘッド本体と、このヘッド本体に設けられたウェイトとを有し、番手が大きくなるほどシャフトが短くなる複数のクラブからなるゴルフのアイアンクラブセットにおいて、番手が大きくなるほど、前記ウェイトの材料の比重が大きくなることを特徴とするゴルフのアイアンクラブセット。」
とあるのを、
「それぞれ前面にフェースを有するヘッドと、このヘッドの左右方向一側に接続されたシャフトとを備えるとともに、前記ヘッドは、フェースを有するヘッド本体と、このヘッド本体に設けられたウェイトとを有し、番手が大きくなるほどシャフトが短くなる複数のクラブからなるゴルフのアイアンクラブセットにおいて、前記ウェイトは番手が大きくなるほど材料の比重が大きくなると共に．上部より下部の左右方向が幅広に形成したことを特徴とするゴルフのアイアンクラブセット。」
　と訂正する。
　
イ．訂正事項ｂ
　明細書の段落【０００６】について
「【課題を解決するための手段】
　請求項１の発明は、前記目的を達成するために、それぞれ前面にフェースを有するヘッドと、このヘッドの左右方向一側に接続されたシャフトとを備えるとともに、前記ヘッドは、フェースを有するヘッド本体と、このヘッド本体に設けられたウェイトとを有し、番手が大きくなるほどシャフトが短くなる複数のクラブからなるゴルフのアイアンクラブセットにおいて、番手が大きくなるほど、前記ウェイトの材料の比重が大きくなるものである。」
　とあるのを、
「【課題を解決するための手段】
　請求項１の発明は、前記目的を達成するために、それぞれ前面にフェースを有するヘッドと、このヘッドの左右方向一側に接続されたシャフトとを備えるとともに、前記ヘッドは、フェースを有するヘッド本体と、このヘッド本体に設けられたウェイトとを有し、番手が大きくなるほどシャフトが短くなる複数のクラブからなるゴルフのアイアンクラブセットにおいて、前記ウェイトは番手が大きくなるほど材料の比重が大きくなると共に、上部より下部の左右方向が幅広に形成したものである。」
  と訂正する。
　
ウ．訂正事項ｃ
明細書の段落【００１９】の記載について
「【発明の効果】
　請求項１の発明のゴルフのアイアンクラブセットによれば、ヘッド本体に設けられたウェイトの材料の比重を番手によって異ならせたので、ウェイトの大きさや形状は番手によらずほぼ同じにしたまま、番手によってウェイトの重量を変えられ、番手によって異なるクラブの特性を設定できる。これにより、例えば鍛造あるいは鋳造によりウェイトを製造するとき、異なる番手用のウェイトで金型を共用することも可能になり、ウェイトの製造を容易にできる。また、ウェイトの外観を番手によらずほぼ同じものにできるので、意匠的な調和に優れたゴルフのアイアンクラブセットを提供できる。そして、番手が大きくなるほど、ウェイトの材料の比重が大きくなるので、番手によるヘッドの重量の相違をウェイトにより設定できる。」
　とあるのを、
「【発明の効果】
　請求項１の発明のゴルフのアイアンクラブセットによれば、ヘッド本体に設けられたウェイトの材料の比重を番手によって異ならせたので、ウェイトの大きさや形状は番手によらずほぼ同じにしたまま、番手によってウェイトの重量を変えられ、番手によって異なるクラブの特性を設定できる。これにより、例えば鍛造あるいは鋳造によりウェイトを製造するとき、異なる番手用のウェイトで金型を共用することも可能になり、ウェイトの製造を容易にできる。また、上部より下部の左右方向が幅広に形成したウェイトの外観を番手によらずほぼ同じものにできるので、意匠的な調和に優れたゴルフのアイアンクラブセットを提供できる。そして、番手が大きくなるほど、ウェイトの材料の比重が大きくなるので、番手によるヘッドの重量の相違をウェイトにより設定できる。」
　と訂正する。
　
（２）訂正の適否、新規事項の有無、及び特許請求の範囲の拡張・変更の存否
　上記訂正事項に関連する記載として、願書に添付した明細書の段落【００１４】には、
「ウェイト17は、キャビティ18内の左右方向中央部に位置しているが、このキャビティ18内の下面から上面に至る細長い形状になっている。さらに、ウェイト17の下部は上部よりも、左右方向の幅が広い幅広部17a になっている。」と記載されている。
　
（２−１）訂正事項ａについて
　上記訂正事項ａにおいて、「番手が大きくなるほど、前記ウェイトの材料の比重が大きくなる」とあるのを、「前記ウェイトは番手が大きくなるほど材料の比重が大きくなると共に．上部より下部の左右方向が幅広に形成した」と訂正することは、ウエイトの「上部より下部の左右方向が幅広に形成した」構成をさらに技術的に限定するものであるから、特許請求の範囲の減縮を目的として明細書の訂正に該当する。
　
（２−２）訂正事項ｂについて
　上記訂正事項ｂは、上記訂正事項ａにおいて、請求項１を訂正したことに伴い、これと整合を図るために訂正するものであるから、明瞭でない記載の釈明を目的とした明細書の訂正に該当する。
　
（２−３）訂正事項ｃについて
　上記訂正事項ｃは、上記訂正事項ａにおいて、請求項１を訂正したことに伴い、これと整合を図るために訂正するものであるから、明瞭でない記載の釈明を目的とした明細書の訂正に該当する。
　よって、訂正事項ａ〜ｃの何れも新規事項の追加に該当せず、実質的に特許請求の範囲を拡張、または変更するものではない。
　
（３）むすび
　以上のとおりであるから、上記訂正は、特許法第１２０条の４第２項及び第３項において準用する特許法第１２６条第２項及び第３項の規定に該当するので、当該訂正を認める。
　
３．特許異議申立についての判断
（ア）申立理由の概要
　異議申立人伊藤晋は、本件特許に対して、
（１）証拠として、甲第１号証（実願昭６３−５７９９１号（実開平１−１６１７６３号）のマイクロフィルム）を提出し、請求項１に係る発明の特許は特許法第２９条第１項の規定に違反してなされたものであるから請求項１に係る発明の特許を取り消すべき旨を、
（２）証拠として甲第１号証、甲第２号証（特開平６−２９６７１３号公報）、甲第３号証（特開平９−２３９０７８号公報）を提出し、、請求項１に係る発明の特許は特許法第２９条第２項の規定に違反してなされたものであるから請求項１に係る発明の特許を取り消すべき旨を、
（３）証拠として、甲第４号証（特願平９−５８３５７号）を提出し、請求項１に係る発明は特許法第２９条の２の規定に違反してなされたものであるから請求項１に係る発明の特許を取り消すべき旨を、それぞれ主張している。
　また、平成１４年２月１８日付け回答書とともに参考資料（特開平７−２０４２９７号公報、特開平７−２４６２６１号公報）を提出し、請求項１に係る発明の特許は、甲第１号証訂正請求書に訂正された請求項１に係る発明の特許は、甲第１号証乃至甲第３号証、および参考資料に記載された発明に基づいて当業者が容易に発明をすることができたものであるから、特許法第２９条第２項の規定により特許を受けることができないものである。
　よって、請求項１に係る発明の特許は、同法同条同項に違反してされたものであると主張している。
　
（イ）本件発明及び判断
　上記２．で示したように上記訂正が認められるから、特許第３１２５９２１号の請求項１に係る発明は、上記訂正に係る訂正明細書の特許請求の範囲の請求項１に記載された事項により特定されるとおりのものである。
　これに対して、平成１４年６月５日付けで取消の理由を通知し、期間を指定して意見書を提出する機会を与えたが、特許権者からは何らの応答もない。
　そして、上記の取消の理由は妥当なものと認められるので、本件特許は、この取消の理由によって取り消すべきものである。
　
　よって、結論のとおり決定する
【異議決定日】
平成１４年９月１９日（２００２．９．１９）
【訂正の要旨】
訂正の要旨
１．訂正事項
　特許請求の範囲の請求項１を、特許請求の範囲の減縮及び明りようでない記載の釈明を目的として、
「【請求項１】それぞれ前面にフェースを有するヘッドと、このヘッドの左右方向一側に接続されたシャフトとを備えるとともに、前記ヘッドは、フェースを有するヘッド本体と、このヘッド本体に設けられたウェイトとを有し、番手が大きくなるほどシャフトが短くなる複数のクラブからなるゴルフのアイアンクラブセットにおいて、前記ウェイトは番手が大きくなるほど材料の比重が大きくなると共に．上部より下部の左右方向が幅広に形成したことを特徴とするゴルフのアイアンクラブセット。」に訂正する。
２．訂正事項
　明りようでない記載の釈明を目的として、明細書段落０００６（特許公報第２頁左欄第２２〜３１行）を、
「【０００６】
　【課題を解決するための手段】
　請求項１の発明は、前記目的を達成するために、それぞれ前面にフェースを有するヘッドと、このヘッドの左右方向一側に接続されたシャフトとを備えるとともに、前記ヘッドは、フェースを有するヘッド本体と、このヘッド本体に設けられたウェイトとを有し、番手が大きくなるほどシャフトが短くなる複数のクラブからなるゴルフのアイアンクラブセットにおいて、前記ウェイトは番手が大きくなるほど材料の比重が大きくなると共に、上部より下部の左右方向が幅広に形成したものである。」と訂正する。
３．訂正事項
　明りようでない記載の釈明を目的として、明細書段落００１９（特許公報第３頁右欄第３４〜４８行）を、
「【００１９】
　【発明の効果】
　請求項１の発明のゴルフのアイアンクラブセットによれば、ヘッド本体に設けられたウェイトの材料の比重を番手によって異ならせたので、ウェイトの大きさや形状は番手によらずほぼ同じにしたまま、番手によってウェイトの重量を変えられ、番手によって異なるクラブの特性を設定できる。これにより、例えば鍛造あるいは鋳造によりウェイトを製造するとき、異なる番手用のウェイトで金型を共用することも可能になり、ウェイトの製造を容易にできる。また、上部より下部の左右方向が幅広に形成したウェイトの外観を番手によらずほぼ同じものにできるので、意匠的な調和に優れたゴルフのアイアンクラブセットを提供できる。
そして、番手が大きくなるほど、ウェイトの材料の比重が大きくなるので、番手によるヘッドの重量の相違をウェイトにより設定できる。」と訂正する。
（５４）【発明の名称】
ゴルフのアイアンクラブセット
（５７）【特許請求の範囲】
　【請求項１】　それぞれ前面にフェースを有するヘッドと、このヘッドの左右方向一側に接続されたシャフトとを備えるとともに、前記ヘッドは、フェースを有するヘッド本体と、このヘッド本体に設けられたウェイトとを有し、番手が大きくなるほどシャフトが短くなる複数のクラブからなるゴルフのアイアンクラブセットにおいて、
前記ウェイトは
ど材
と共に、上部より下部の左右方向が幅広に形成した
【発明の詳細な説明】
　【０００１】
　【発明の属する技術分野】
　本発明は、ゴルフのアイアンクラブセットに関する。
　【０００２】
　【発明が解決しようとする課題】
　ゴルフのアイアンクラブセットは、例えば、ロングアイアンである１番アイアンからショートアイアンである９番アイアンあるいはピッチングウェッジ、サンドウェッジまでの複数本のクラブの組である。これらのクラブの諸元は、所定の設定で異なっている。まず、番手が大きくなるほど、シャフトが短くなり、これに対応してヘッドの重量が大きくなる。また、番手が大きくなるほど、ロフト角すなわち鉛直面とフェースとのなす角度が大きくなる。さらに、番手が大きくなるほど、ライ角すなわち水平面とシャフトとのなす角度が大きくなる。
　【０００３】
　また、ヘッドにおける重量配分の調整を目的として、例えば実開昭５８−８６１５７号公報に記載されているように、ヘッド本体の後側に、このヘッド本体の材料よりも比重の大きい材料からなるウェイトを設けることが従来より行われている。また、各番手のクラブに合った特性が得られるように、各番手に応じてウェイトの重量や取り付け位置を変えることも行われている。従来、各番手毎にウェイトの重量を変える場合、ウェイトの材料は同一として、ウェイトの大きさを変えていた。すなわち、例えば３番アイアン用あるいは４番アイアン用など、各番手毎に専用のウェイトを製造していた。
　【０００４】
　しかし、各番手毎にそれぞれウェイトの大きさを変えるのでは、１つのアイアンクラブセットで、例えば１番アイアンからサンドウェッジまでの計１１種類のウェイトが必要であり、例えば鍛造あるいは鋳造によりウェイトを製造する場合、鍛造あるいは鋳造用の金型も１１組必要になり、コストもかさむし、製造設備も場所を取る。また、番手によってウェイトの大きさや形状が異なるのでは、アイアンクラブセットにおいて意匠的な調和を損なうことになる。
　【０００５】
　本発明は、このような問題点を解決しようとするもので、ウェイトの製造を容易にできるとともに、意匠的な調和に優れたゴルフのアイアンクラブセットを提供することを目的とする。
　【０００６】
　【課題を解決するための手段】
　請求項１の発明は、前記目的を達成するために、それぞれ前面にフェースを有するヘッドと、このヘッドの左右方向一側に接続されたシャフトとを備えるとともに、前記ヘッドは、フェースを有するヘッド本体と、このヘッド本体に設けられたウェイトとを有し、番手が大きくなるほどシャフトが短くなる複数のクラブからなるゴルフのアイアンクラブセットにおいて、
前記ウェイトは
ど材
と共に、上部より下部の左右方向が幅広に形成した
　【０００７】
　このように番手によって前記ウェイトの材料の比重を異ならせることにより、ウェイトの大きさや形状は番手によらずほぼ同じにしたまま、番手によってウェイトの重量を変えられ、番手によって異なるクラブの特性を設定できる。すなわち、一般的にヘッドの重量は、番手が大きくなるほど大きくなるが、番手が大きくなるほどウェイトの材料の比重を大きくすることにより、番手によるヘッドの重量の相違をウェイトにより設定できる。
　【０００８】
　【発明の実施形態】
　以下、本発明のゴルフのアイアンクラブセットの一実施例について図１から図３を参照しながら説明する。図示のように、アイアンクラブは、ヘッド１と、このヘッド１に固定されたシャフト２とからなっている。前記ヘッド１は、前面がフェース３、後側がバック４、下側がソール５、上側がトップ６、左右方向一側がヒール７、左右方向他側がトウ８をなしている。前記ヒール７にはネック９が形成されているとともに、このネック９から上方へ突出させてホーゼル１０が形成されている。このホーゼル１０は、前記シャフト２が接続されるシャフト接続部をなすものである。なお、前記フェース３には、スコアラインとも称するぼぼ水平な複数の凹溝１１が形成されている。
　【０００９】
そして、本ゴルフのアイアンクラブセットは、１番アイアンから９番アイアンとピッチングウェッジおよびサンドウェッジとの１１本のクラブのセット、あるいは、これらから一部のクラブを除いたセットである。これらのクラブの全ては図示しないが、セット中の各クラブの諸元は、所定の設定で異なっている。まず、番手が大きくなるほど、シャフト２が短くなり、これに対応してヘッド１の重量が大きくなる。また、番手が大きくなるほど、ロフト角すなわち鉛直面とフェース３とのなす角度が大きくなる。さらに、番手が大きくなるほど、ライ角すなわち水平面とシャフト２とのなす角度が大きくなる。一例として、図２にはロングアイアンのヘッド１の断面図、図３にはショートアイアンのヘッド１の断面図を示してある。
　【００１０】
　前記ヘッド１は、フェース３を含めてこのヘッド１の大部分を形成するヘッド本体１６と、このヘッド本体１６のバック４側に固定されたブロック状のウェイト１７とからなっている。前記ヘッド本体１６のバック４側には、その周辺部を残して、凹部からなるキャビティ１８が形成されている。このキャビティ１８は、周知のように、フェース３の面積の拡大およびスイートエリアの拡大のためのものである。スイートエリアとは、フェース３において打撃されたボールが比較的真直ぐによく飛ぶ領域のことである。また、前記ウェイト１７は、溶接、ねじなどによる機械的な固定あるいはプレスによる圧入など、適宜の手段でヘッド本体１６のキャビティ１８内に接合されている。そして、ウェイト１７は、キャビティ１８内の左右方向中央部に位置しているが、このキャビティ１８内の下面から上面に至る細長い形状になっている。さらに、ウェイト１７の下部は上部よりも、左右方向の幅が広い幅広部１７ａになっている。
　【００１１】
　そして、前記ヘッド本体１６は、形状は各番手によって異なっているが、番手によらずほぼ同じ重量になっている。また、ヘッド本体１６の材料は、適宜のものを用いることができるが、チタンあるいはチタン合金などの高強度で軽量なものが望ましい。軽量な材料ならば、ヘッド本体１６を大きくでき、ボールの打撃面であるフェース３も大きくできる。そして、フェース３が大きくなれば、ボールの打撃に際してヘッド１を下に構えたとき、フェース３が広く見えて打ちやすくなるとともに、クラブの諸元の設定上ロフト角を小さくすることも可能になる。
　【００１２】
　前記ウェイト１７の形状および大きさは番手によらず同じであるが、材料の比重は各番手によって異なる。そして、番手が大きくなるほど、ウェイト１７の材料の比重は大きくなる。その結果、ウェイト１７の重量は、番手が大きくなるほど大きくなり、また、ヘッド本体１６の重量が番手によらずほぼ同じであることから、ヘッド１の重量も、番手が大きくなるほど大きくなる。なお、ウェイト１７の材料の比重は、ヘッド本体１６の材料の比重よりも大きい。
　【００１３】
　番手によってウェイト１７の材料の比重を組織的に変えるには、例えば同一系統で組成比の異なる合金を用いればよい。表１は、銅タングステン合金を用いた例を示している。
　【００１４】
　【表１】
　【００１５】
　そして、例えば１番アイアンおよび２番アイアンでは▲５▼の合金を用い、３番アイアンおよび４番アイアンでは▲４▼の合金を用い、５番アイアンおよび６番アイアンでは▲３▼の合金を用い、７番アイアンおよび８番アイアンでは▲２▼の合金を用い、９番アイアン、ピッチングウェッジおよびサンドウェッジでは▲１▼の合金を用いる。
　【００１６】
　前述のようにアイアンクラブセットでは、一般的に番手が大きくなるほど、シャフト２が短くなり、これに対応してヘッド１の重量が大きくなるが、番手が大きくなるほどウェイト１７の材料の比重を大きくすることにより、ウェイト１７の大きさや形状は番手によらず同じにしたまま、番手によるヘッド１の重量の相違をウェイト１７により設定できる。
　【００１７】
　前記実施例のように、番手によってウェイト１７，１９の材料の比重を異ならせることにより、ウェイト１７，１９の大きさや形状は番手によらず同じにしたまま、番手によってウェイト１７，１９の重量を変えられ、番手によって異なるクラブの特性を設定できる。そして、ウェイト１７，１９の大きさや形状は番手によらず同じであることから、例えば鍛造によりウェイト１７，１９を製造するとき、異なる番手用のウェイト１７，１９で金型を共用できる。全てのクラブで、一つの金型を共用することも可能である。したがって、ウェイト１７，１９の製造を容易にでき、この製造に要するコストも低減できる。そして、ウェイト１７，１９の外観を番手によらず同じものにできるので、意匠的な調和に優れたゴルフのアイアンクラブセットを提供できる。
　【００１８】
　なお、本発明は、前記実施例に限定されるものではなく、種々の変形実施が可能である。例えば、ウェイトの材料は、前記実施例で例示した銅タングステン合金には限らない。また、番手によってウェイトの材料の比重を異ならせる手段も、同一系統で組成比の異なる合金を用いるものには限らない。例えば、鉄系の材料、銅系の材料あるいは鉛など、系統の異なる材料を用いてもよい。ただし、同一系統の材料を用いると、色などの点で統一性をもたせられる利点がある。さらに、ウェイトの形状や大きさやヘッド本体における配設位置も、前記実施例のものには限らない。また、アイアンクラブセットの各番手のクラブでそれぞれウェイトの材料の比重を変えてもよいが、例えば１番アイアンから３番アイアンあるいは４番アイアンから６番アイアンまでのように適当にグループ分けして、各グループで共通のウェイトを用いてもよい。また、ウェイトの形状や大きさも、各番手のクラブでそれぞれ変えてもよいが、同様に適当にグループ分けして、各グループでのみ共通の形状および大きさにしてもよい。それでも、各番手毎に形状や大きさを変えるよりは製造性が向上する。
　【００１９】
　【発明の効果】
　請求項１の発明のゴルフのアイアンクラブセットによれば、ヘッド本体に設けられたウェイトの材料の比重を番手によって異ならせたので、ウェイトの大きさや形状は番手によらずほぼ同じにしたまま、番手によってウェイトの重量を変えられ、番手によって異なるクラブの特性を設定できる。これにより、例えば鍛造あるいは鋳造によりウェイトを製造するとき、異なる番手用のウェイトで金型を共用することも可能になり、ウェイトの製造を容易にできる。また、
上部より下部の左右方向が幅広に形成した
【図面の簡単な説明】
　【図１】
　本発明のゴルフのアイアンクラブセットの一実施例を示すロングアイアンのヘッドの断面図である。
　【図２】
　同上ショートアイアンのヘッドの断面図である。
　【図３】
　同上ヘッドの背面図である。
　【符号の説明】
　　１　ヘッド
　　２　シャフト
　　３　フェース
　１６　ヘッド本体
　１７　ウェイト